(57)【要約】本発明は、検体前処理装置においてスムーズなシステム納入を実現するため、モジュール配置の表示機能を有し、容易に作業可能なシステム情報の構築ツールを提供することを目的とする。本発明の方式は、ＰＣの画面に表示したモジュールアイコンを配置することにより、顧客の使用環境に合った検体前処理装置のモジュール配置図を自動で作成する。また、配置したアイコンから自動でシステム情報を自動で作成し、システム情報を構築する工数を短縮できるという利点がある。
2014196342.tif 000002
【特許請求の範囲】
【請求項１】
生体由来の検体をシステム内に投入する検体投入モジュールと、
検体に対して分析の前処理工程を行う複数種類の検体前処理モジュールと、
分析が終了した後の検体を収容する検体収容モジュールと、を有する検体前処理システムの構築を支援するプログラムを有するコンピュータであって、
複数種類の検体前処理モジュールを表す複数種類のモジュールアイコンをフィールド上に表示する表示手段と、
前記表示手段上に表示されたモジュールアイコンをフィールド上の任意の位置に配置させる入力手段と、
前記画面上に表示したモジュールアイコンの配置状態に基づいて、配置状態の整合性をチェックするチェック機能を有し、整合性が無いと判断された場合にはその旨を通知する通知手段を備えたことを特徴とするコンピュータ。
【請求項２】
請求項１記載のコンピュータにおいて、
フィールド上の前記モジュールアイコンをモジュールの接続方向にあわせて任意の角度に回転表示する回転表示手段を備えたことを特徴とするコンピュータ。
【請求項３】
請求項１記載のコンピュータにおいて、
フィールド上の前記モジュールアイコンをモジュールの接続方向にあわせて、アイコンサイズを変更表示する変更表示手段を備えたことを特徴とするコンピュータ。
【請求項４】
請求項１記載のコンピュータにおいて、
フィールド上にモジュールアイコンを配置して構成した検体前処理システムの全体構成表示を任意の角度に回転表示する回転表示手段を備えたことを特徴としたコンピュータ。
【請求項５】
請求項１記載のコンピュータにおいて、
配置したモジュールの設置面積、重量、電源容量の少なくともいずれかを出力する出力手段を有することを特徴としたコンピュータ。
【請求項６】
請求項１のコンピュータにおいて、
コードを入力する入力手段を備え、
入力されたコードに基づいてフィールド上に予め定められたモジュールアイコンの配置状態を表示することを特徴とするコンピュータ。
【請求項７】
請求項６記載のコンピュータにおいて、
コードとモジュールアイコンの配置状態とを関連付けて記憶するデータベースを備えたことを特徴とするコンピュータ。
【請求項８】
請求項１〜７のいずれかに記載のコンピュータにおいて、
フィールド上に配置されたモジュールアイコンの配置状態に基づいてシステム情報を作成し出力する手段を備えたことを特徴とするコンピュータ。
【請求項９】
生体由来の検体をシステム内に投入する検体投入モジュールと、検体に対して分析の前処理工程を行う複数種類の検体前処理モジュールと、分析が終了した後の検体を収容する検体収容モジュールと、を有する検体前処理システムの構築に対する支援方法であって、
複数種類の検体前処理モジュールを表す複数種類のモジュールアイコンをフィールド上に表示し、
オペレータの入力指示に従って前記モジュールアイコンをフィールド上の任意の位置に配置し、
前記モジュールアイコンの配置状態に基づいて、配置状態の整合性をチェックし、
整合性が無い場合にはその旨を通知することを特徴とする支援方法。
【請求項１０】
請求項９記載の支援方法において、
配置したモジュールの設置面積、重量、電源容量の少なくともいずれかを出力することを特徴とした支援方法。
【請求項１１】
請求項９記載の支援方法において、
入力されたコードに基づいてフィールド上に予め定められたモジュールアイコンの配置状態を表示することを特徴とする支援方法。
【請求項１２】
請求項１１に記載の支援方法において、
モジュールアイコンの配置状態に基づいてシステム情報を作成し出力することを特徴とする支援方法。
【請求項１３】
生体由来の検体をシステム内に投入する検体投入モジュールと、検体に対して分析の前処理工程を行う複数種類の検体前処理モジュールと、分析が終了した後の検体を収容する検体収容モジュールと、を有する検体前処理システムの構築を支援するプログラムを記憶した記録媒体であって、
前記プログラムは、
複数種類の検体前処理モジュールを表す複数種類のモジュールアイコンをフィールド上に表示し、
オペレータの入力指示に従って前記モジュールアイコンをフィールド上の任意の位置に配置し、
前記モジュールアイコンの配置状態に基づいて、配置状態の整合性をチェックし、
整合性が無い場合にはその旨を通知することを特徴とする記録媒体。
【請求項１４】
生体由来の検体をシステム内に投入する検体投入モジュールと、検体に対して分析の前処理工程を行う複数種類の検体前処理モジュールと、分析が終了した後の検体を収容する検体収容モジュールと、を有する検体前処理システムの構築を支援するプログラムを記憶したサーバーであって、
前記プログラムは、
複数種類の検体前処理モジュールを表す複数種類のモジュールアイコンをフィールド上に表示し、
オペレータの入力指示に従って前記モジュールアイコンをフィールド上の任意の位置に配置し、
前記モジュールアイコンの配置状態に基づいて、配置状態の整合性をチェックし、
整合性が無い場合にはその旨を通知することを特徴とし、
当該プログラムからの指示を外部と通信する通信手段を備えたことを特徴とするサーバー。
【発明の詳細な説明】
【技術分野】
【０００１】
本発明は、検体前処理装置を構成するモジュールのシステム情報構築ツールに関するものである。
【背景技術】
【０００２】
検体前処理装置は、血液や尿などの分析の前処理工程を行う装置である。特許文献１には、検体容器を複数本積載可能な検体ラックが搬送される搬送ラインと、前記搬送ラインに沿って各種のユニットが並ぶ前処理ユニットと、前記検体ラックを搬送ラインに投入する検体投入部を有する検体前処理装置が開示されている。当該前処理ユニットには、検体投入部（検体投入ユニット）、遠心分離ユニット、開栓ユニット、分注ユニット、バーコード貼付ユニット、閉栓ユニット、検体分類ユニット、そして検体収納部があり、検体は搬送ラインに沿ってこれらのユニットを順次搬送されることにより、適切な処理が実施される。【０００３】
このような検体前処理システムは、通常、検体投入ユニットからシステム内に投入され、検体収納部へと収納されるよう、検体の搬送方向は一方向に決定されている。さらに、前処理後の検体を自動的に分析する分析装置とオンライン接続され、分析装置まで検体を搬送する機能も有する場合もある。検体を正しい方向に搬送するためには検体前処理システムを構成する各モジュールの接続を、正しい方向性に従って配置する必要がある。【０００４】
また、検体前処理システムの特徴として、オペレータの要求する仕様により構成するモジュールの数や種類が異なることが挙げられる。さらに、検体前処理装置や分析装置を設置する検査室はスペース的に制限されている場合が多く、モジュールは検査室内の柱や移動が困難な設備などを避けて配置することが必要となる。そのため装置を納入する際にはその都度、各モジュールの最適な配置を検討する必要がある。【０００５】
さらに、配置された検体前処理装置を動かすためには、モジュールの配置にあわせたシステム情報を各モジュールに入力する必要がある。モジュールの配置は顧客によって異なるため、顧客毎にシステム情報を作成する必要がある。
【先行技術文献】
【特許文献】
【０００６】
【特許文献１】特開２００１−１４１７３２号公報
【発明の概要】
【発明が解決しようとする課題】
【０００７】
検体前処理システムのモジュール配置を顧客に提案するためには、顧客の運用方法や、設置場所の大きさや柱の配置など、詳細な状況調査が必要となる。その調査結果に基づいて、システム設計者がモジュールの配置を検討し、顧客に提案している。しかし、システム設計には各前処理モジュールの接続方向やサイズ、電源容量に関する知識が必要であり、正確なシステム設計が可能な人員が限られている。このため、顧客からシステムレイアウトの提案依頼があったとしても、顧客の要求するスペックを満たし、かつ、配置スペースや電源容量を満たすシステムレイアウトを提案するためには、時間がかかってしまうことがある。【０００８】
また、検体前処理システムのような多数のモジュールが連結されているシステムを駆動させるためには、システム情報の入力が必要不可欠である。システム情報の作成にもモジュールの接続方向性などの知識が必要なため、作業できる人員が限られており、顧客の要求する納期が実現困難な状況が発生することがある。【０００９】
本発明の目的は、検体前処理装置においてスムーズなシステム納入を実現するため、モジュール配置の表示機能を有し、容易に作業可能なシステム情報構築ツールを提供することである。
【課題を解決するための手段】
【００１０】
パーソナルコンピュータ(以後、ＰＣ)の画面に表示した検体前処理装置のモジュールアイコンを配置することにより、自動で検体前処理装置のモジュール配置図やシステム情報を作成する機能を備えた構築ツールを使用することにより実現できる。
【発明の効果】
【００１１】
顧客の運用や設置環境の調査と同時に、システム情報構築ツールを使用し、画面に表示した検体前処理装置のモジュールアイコンを配置することにより、自動で検体前処理装置のモジュール配置図を作成する。顧客の使用環境に合ったモジュールの接続構成を提案できる。【００１２】
また、配置したアイコンから自動でシステム情報を自動で作成し、システム情報を構築する工数を短縮できるという利点がある。
【図面の簡単な説明】
【００１３】
【図１】システム情報構築ツールのモジュールアイコン配置例を示す図である。
【図２】システム情報構築ツールにおけるモジュール数指定の実施例である。
【図３】システム情報構築ツールにおけるコード指定画面の実施例である。
【図４】検体前処理装置の設置面積、重さ、電源容量の印字例である。
【図５】検体前処理装置のシステム情報を文字列化したコードの印字例である。
【図６】検体の搬送経路の確認機能の実施例である。
【図７】システム情報構築ツールが動作するＰＣの構成例である。
【図８】検体前処理システムにおけるモジュールの物理的配置を示す図である。
【発明を実施するための形態】
【００１４】
本発明の実施例を図１〜図８により説明する。
【００１５】
図８は本発明における検体前処理システムの物理的配置を示す図である。図８においては、１は投入部（検体投入モジュール）であり検体は、通常投入部１から投入される。２は自動遠心部（遠心分離モジュール）であり検体を自動で遠心機内のローターに設置して遠心分離を行った後に自動で搬出される。３は自動開栓モジュールであり自動で栓を抜取る。４は自動バーコード貼付けモジュールであり試験管等の容器にバーコードラベルを自動で貼り付ける。１８は容器及びラック供給モジュールであり容器を自動で１２のラックに設置して搬出する。５は分注モジュールであり遠心分離された検体（以下一次検体と記す）から別の容器に検体を吐出する。検体容器はベルトコンベヤを有する検体搬送ラインによってこれらのユニット間を順次搬送される。
【００１６】
なお、図８においては各モジュールが一つずつ直列に接続されている場合の配置を示すが、必要に応じて同一種類のモジュールを複数個ずつ接続しても良い。また、その場合には上記のほかに検体搬送ラインを分岐させる分岐ラインを備え、枝分かれした検体前処理システム構造としても良い。  これらのモジュールや検体搬送ラインの動作は、制御用コンピュータにより制御される。なお、制御用コンピュータにはオペレータが指示をおこなう指示手段として、キーボードやマウス、タッチパネルなどの入力手段と、情報を表示する液晶パネルやＣＲＴなどの表示手段が設けられている。
【００１７】
図１は本発明におけるシステム構築支援ツールが有するシステム情報構築ツール画面１０１の一例を示す図である。なお、本実施例におけるシステム構築支援ツールは、検体前処理システムを構築する技術者の設計用コンピュータや、検体前処理システムの営業やサービスマンが顧客であるオペレータに情報を提示するためのコンピュータで使用される機能を有するプログラムである。本実施例では、システム構築支援ツールは予めコンピュータ内に組み込まれたプログラムとして説明するが、ＣＤやＵＳＢメモリー等の一般的な外部記録媒体の形式で供給された後に、コンピュータ内に取り込まれることによって使用することができるプログラムであっても良い。その他に、営業やサービスマンのコンピュータからサーバコンピュータにネットワークを介して接続し、システム構築支援ツールをサーバコンピュータ上で動作させるプログラムであってもよい。
【００１８】
システム情報構築ツール１０１は、モジュールアイコン表示部１０２、Ｘ座標１０３、Ｙ座標１０４、Ｘ座標スクロールバー１０５、Ｙ座標スクロールバー１０６、条件選択コンボボックス１０７、コメント表示フィールド１０８、配置指定ボタン１０９、コード作成ボタン１１０、グループ化ボタン１１１、回転ボタン１１２、帳票ボタン１１３、検体処理ボタン１１４、経路設定ボタン１１５、設定確認ボタン１１６、情報作成ボタン１１７、閉じるボタン１１８を持つ。
【００１９】
モジュールアイコン表示部１０２は、前処理検体システムを設置する検査室エリアを模式的に示しており、このモジュールアイコン表示部１０２のフィールドに任意のモジュールアイコンを配置することにより、そのモジュール配置からなる検体前処理システムの配置図やシステム情報を作成し、さらには検体前処理システムを配置するために必要な空間のサイズや、耐重量、総電源容量を算出する機能を有する。
【００２０】
モジュールアイコンは、Ｘ座標およびＹ座標の一マス単位で配置を調整することが可能であり、オペレータは、システム情報構築ツール１０１の機能を備えるコンピュータの入力手段により、任意のモジュールアイコンの配置を調整する。モジュールアイコンは、検体前処理システムを構成する各処理モジュールに対応する数だけ存在している。具体的には、検体投入モジュールアイコン、遠心モジュールアイコン、開栓モジュールアイコン、分注モジュールアイコン、自動バーコード貼付モジュールアイコン、容器・ラック供給モジュールアイコン、検体収容モジュールアイコン、搬送ラインアイコン、分岐ラインアイコン、分析モジュールアイコンである。各アイコンは後述するＸ座標、Ｙ座標のそれぞれ１マスずつを単位とした大きさを有している。モジュールの実際の大きさによって、幅が２マス以上の大きさのアイコンとなる場合もある。そのため、各アイコンは、サイズの変更機能を有する。  サイズの変更機能としては、サイズを変更したい方向のモジュールアイコンの辺にマウスを位置づけると、縦方向の双方向矢印または、横方向の双方向矢印が表示される。その状態で左クリックして、変更する方向にマウスを引くとアイコンサイズが変更される。
モジュールの実サイズを反映することによって、より正確にモジュールレイアウトを調整することが可能となる。
【００２１】
システム情報構築ツール１０１を構成する各部位の機能を以下に説明する。
【００２２】
モジュールアイコン表示部１０２：Ｘ座標方向１６、Ｙ座標方向８の表示エリアを有し、フィールド上にモジュールアイコンを任意に配置することができる。なお、モジュールアイコン表示部１０２上で隣接したマスに正しい方向性で配置されたモジュールアイコンは、当該モジュールアイコンに対応する処理モジュール同士が接続され、検体が搬送ラインを介して当該処理モジュール間を搬送可能となる状態を意味する。例えば、２行目Ｄ列に検体投入モジュールアイコンが、２行目Ｅ列に遠心分離モジュールアイコンが隣接し配置された場合、検体投入モジュールと遠心分離モジュールとが隣接した状態で接続されてレイアウトされた状態を示している。
【００２３】
Ｘ座標１０３：ＡからＡＦまで３２マスの表示エリアを有する。
【００２４】
Ｙ座標１０４：１から３２まで３２マスの表示エリアを有する。
【００２５】
Ｘ座標スクロールバー１０５：Ｘ座標をスクロール表示する機能を有する。
【００２６】
Ｙ座標スクロールバー１０６：Ｙ座標をスクロール表示する機能を有する。
【００２７】
条件選択コンボボックス１０７：コンボボックスにより、各種処理の条件を選択することができる。
【００２８】
コメント表示フィールド１０８：各種処理の実施結果やアラ−ムを表示する。接続できないモジュール同士が隣接したマスに配置された場合など、モジュールアイコンの配置にエラーがあり、整合性がない配置となっている場合には、コメント表示フィールド１０８にアラーム情報を表示する。例えば、隣接するモジュールアイコンの方向性が異なるために接続できない場合は、その旨をコメント表示フィールドに表示する。分岐搬送ラインを介さずに、主モジュールラインの側面に分岐モジュールラインが直接配置されている場合も、主モジュールラインの検体搬送ラインと分岐モジュールラインの検体搬送ラインは接続されていないため、その旨の通知をコメント表示フィールドに表示する。また、例えば、検体容器を投入するために必須な、検体投入モジュールアイコンが無い場合や、処理が終了した検体容器を保持するために必須な、検体収納モジュールアイコンや分析装置アイコンなどが無い場合など、検体前処理システムとして成立しない場合などにも、その旨をコメント表示フィールドに表示する。このようにコメント表示フィールドに配置エラー内容を表示することによって、システム情報構築ツールを使用しているユーザは、誤ったシステムのままシステム情報の作成や、システムに必要な面積や電源容量の見積りを行なうことを防止することができる。
【００２９】
配置指定ボタン１０９：条件選択コンボボックス１０７で、どの画面に遷移するか（モジュール数指定画面２０１か、コード指定画面３０１）の条件を選択した後に、配置指定ボタン１０９を押下することにより、図２のモジュール数指定画面２０１または、図３のコード指定画面３０１を起動する。
【００３０】
コード作成ボタン１１０：モジュールアイコン表示部１０２にモジュールアイコンを配置した後に、コード作成ボタン１１０を押下することにより、文字列コードを作成する。
【００３１】
グループ化ボタン１１１：条件選択コンボボックス１０７で、グループ化するか、グループ化を解除するかの条件を選択し、グルーブ化ボタン１１１を押下することにより、複数のモジュールアイコンのグループ化やグループ化解除を実施する。グループ化したアイコンは、一括で移動や回転を行うことができる。
【００３２】
回転ボタン１１２：条件選択コンボボックス１０７で、フィールド上のアイコン全体を回転させるか、あるいは選択したモジュールアイコンのみを回転させるか、の条件を選択し、回転ボタン１１２を押下することにより、前処理装置全体または、選択したモジュールアイコンを回転してモジュールアイコン表示部１０２に表示する。回転ボタンを備えることにより、以下のような使用が可能になる。すなわち、各処理モジュールは方向性を有している。たとえば、検体投入モジュールは、オペレータが検体を投入するための投入口の向きは検体投入モジュールアイコンの一辺上に配置されているはずである。同様に検体収納モジュールも、収納したモジュールをオペレータが取り出すための取出口の向きは検体収納モジュールアイコンの一辺上に配置されているはずである。各モジュールの向きによって、検体前処理システムのオペレータの動線や作業効率も異なる。さらに、各モジュールには検体を搬送するためのコンベヤベルト構造が備わり、各モジュールが正しい方向性で接続されないとコンベヤベルト同士が接続されず、検体の搬送に支障が生じる。そのため、回転ボタン１１２を押下することにより、モジュールアイコン表示部１０２上に配置させるモジュールアイコンの向きを最適化させることができる。
【００３３】
帳票ボタン１１３：条件選択コンボボックス１０７で、設置面積や重量、電源容量印字画面への遷移か、文字列コード印字画面への遷移か、の条件を選択し、帳票ボタン１０８を押下することにより、図４の検体前処理システム全体の設置面積、重量、電源容量の印字または、図５の検体前処理装置のシステム情報を文字列化したコードの印字を実行する。
【００３４】
検体処理ボタン１１４：モジュールアイコン表示部１０２にモジュールアイコン配置した状態で検体処理ボタンを押下することにより、図６の検体処理条件画面６０１を起動する。
【００３５】
経路設定ボタン１１５：モジュールアイコン表示部１０２にモジュールアイコン配置した状態で、経路設定ボタン１１５を押下することにより、経路設定機能が開始される。設定したい経路順にモジュールアイコンを押下した後、再度経路設定ボタン１１５を押下することにより、経路設定を完了する。通常、経路の設定は、検体前処理装置が構築された後、検体前処理装置の操作部ＰＣを用いて設定される情報である。しかし、システム情報構築ツールに経路設定ボタンを備えることにより、操作部ＰＣを使用できない状況下であっても、搬送経路の設定が可能となる。経路を設定することにより、後述する検体処理条件画面において搬送経路のシミュレートを実行することができる。なお、経路の設定では、ラックＩＤに対応させて経路を設定している。
【００３６】
設定確認ボタン１１６：モジュールアイコン表示部１０２にモジュールアイコン配置した状態で、設定確認ボタン１１６を押下することにより、各モジュールの設定チェックを実施する。なお、設定チェックとは、検体前処理装置における検体の処理パラメータを確認する機能である。検体前処理装置において、検体の処理に不可欠なパラメータの設定有無を確認し、設定されていない場合は設定を促す。設定チェックの対象パラメータとしては、検体のバーコード種類、検体容器の種類、検体を架設するラック番号範囲がある。
【００３７】
情報作成ボタン１１７：モジュールアイコン表示部１０２にモジュールアイコン配置した状態で情報作成ボタン１１７を押下することにより、システム情報が作成される。なお、システム情報とは、配置した各モジュールを稼動させるために必要な情報であり、各モジュールの個数や識別番号、モジュール間の接続順などの検体前処理の起動用のパラメータ情報である。文字列コードとは、このシステム情報を作成する際に配列したモジュールアイコンの配列順序を文字コード化した情報である。そのため、過去に作成したモジュール配列と似た配列のシステム情報を作成する際には、ベース情報として文字列コードを使用することにより、モジュール配列順を再現することができ、システム情報を取得することが可能となる。
【００３８】
閉じるボタン１１８：閉じるボタン１１８を押下することにより、システム情報構築ツール画面１０１を閉じる。
【００３９】
図２（ａ）は、システム情報構築ツールにおけるモジュール数指定画面の一例である。
【００４０】
モジュール数指定画面２０１は、システム情報構築ツール画面２１１のモジュールアイコン表示部２１２に表示するモジュールアイコンの数を指定する。モジュールＡの数２０２のコンボボックスでモジュールＡの数を指定する。モジュールＢの数２０３のコンボボックスでモジュールＢの数を指定する。モジュールＣの数２０４のコンボボックスでモジュールＣの数を指定する。モジュールＤの数２０５のコンボボックスでモジュールＤの数を指定する。モジュールＥの数２０６のコンボボックスでモジュールＥの数を指定する。
モジュールＦの数２０７のコンボボックスでモジュールＦの数を指定する。
【００４１】
次へボタン２０８を押下することにより、図２（ｂ）に示すように、システム情報構築ツール画面２１１のモジュールアイコン表示部２１２に、指定した数のモジュールアイコン２１３〜２１８が表示される。これにより、ユーザは希望するスペックを満たすために必要な処理モジュールのレイアウトを、各モジュールアイコンをモジュールアイコン表示部１０２のフィールド内に配置させて検討することができる。
【００４２】
キャンセルボタン２０９を押下することにより、モジュール数指定処理を中止し、モジュール数指定画面２０１を閉じる。閉じるボタン２１０を押下することにより、モジュール数指定画面２０１を閉じる。
【００４３】
図３は、システム情報構築ツールにおけるコード指定画面の実施例である。
【００４４】
コード指定画面では、モジュールレイアウトに関するコードを、コード指定画面に入力すると、その文字列コードを解析してモジュールアイコンの配列に関する情報を取得する。取得したモジュールアイコンの配列に関する情報に基づき、モジュールアイコン表示部１０２にモジュールアイコンを表示させ、また、そのモジュールアイコンの配列に対応するシステム情報を取得することができる。
【００４５】
ユーザがコードを指定することにより、モジュールレイアウトをモジュールアイコン表示部１０２上に表示させることができるため、ユーザはシステム情報構築ツール１０１を使用するたびにモジュールレイアウトを入力する必要がなく、使い勝手が向上する。
【００４６】
本実施例のコード指定画面３０１におけるモジュールアイコン配置機能には、デフォルト構成処理機能と追加構成処理機能がある。
【００４７】
デフォルト構成処理機能とは、デフォルト構成のコンボボックス３０２からレイアウトコードを選択し、次へボタン３０５を押下することにより、モジュールアイコン表示部１０２に、レイアウトコードに対応するモジュールアイコンを配置し表示させる。一般的なモジュール配置に対してレイアウトコードを設定すれば、簡単にシステム情報の作成ができる。
【００４８】
追加構成処理機能は、追加構成のテキストボックス３０３ａ〜３０３ｅに、文字列コードを入力し、次へボタン３０５を押下することにより、モジュールアイコン表示部１０２に、文字列コードに該当するモジュールアイコンを配置し表示する。なお、この追加構成処理機能のテキストボックスに入力する文字列コードは、モジュールアイコン表示部１０２にモジュールアイコンをレイアウトした状態でコード作成ボタン１１０を入力することにより作成される。この文字列コードをテキストボックスに入力し、次へボタン３０５を入力することにより、文字列コードを作成したときのモジュールアイコンのレイアウトが、モジュールアイコン表示部１０２に表示される。
【００４９】
追加校正処理機能は、異なるシステム情報構築ツール１０１の間でも有効である。過去にいずれかのシステム情報構築ツール１０１で作成した文字列コードを、他のシステム情報構築ツールに入力することにより、モジュールアイコンを再配置させることなく、モジュールアイコンのレイアウトやシステム情報を再作成することができる。
【００５０】
キャンセルボタン３０４を押下することにより、文字列コード入力によるモジュールアイコン配置処理を中止し、コード指定画面３０１を閉じる。閉じるボタン３０６を押下することにより、コード指定画面３０１を閉じる。
【００５１】
なお、本実施例において文字列コードはモジュールアイコンのレイアウトに関する情報を記号化したコードであって、文字列コードを解析することによりモジュールレイアウトを再現できるが、この実施形態に限定されるものではない。例えば、文字列コードとモジュールアイコンのレイアウトに関する情報を、システム情報構築ツールと接続されたデータベース内に登録しておき、文字列コードをデータベースに問い合わせることによりモジュールアイコンのレイアウトに関する情報を取得するようにしても良い。
【００５２】
図４は、検体前処理装置の設置面積、電源容量の印字例である。
【００５３】
システム情報構築ツール１０１上の帳票ボタン１１３を入力することで、モジュール配置図４０１を有する印字画面を表示させることができる。モジュール配置図４０１は、モジュールアイコン表示部１０２に配置されたモジュールの並びを反映した検体前処理システムのモジュール配置の外観図を出力する。設置サイズ(縦×横)４０２は、検体前処理システムのトータルサイズを出力する。総電源容量４０３は、検体前処理システムの総電源容量を出力する。モジュールＡ４０４は、モジュールＡのサイズと電源容量を出力する。
モジュールＢ４０５は、モジュールＢのサイズと電源容量を出力する。モジュールＣ４０６は、モジュールＣのサイズと電源容量を出力する。モジュールＤ４０７は、モジュールＤのサイズと電源容量を出力する。モジュールＥ４０８は、モジュールＥのサイズと電源容量を出力する。モジュールＦ４０９は、モジュールＦのサイズと電源容量を出力する。
【００５４】
このような帳票画面を備えることにより、新たに検体前処理システムの導入を検討している顧客に対して、顧客が要望するスペックを満たす検体前処理システムを実現するために必要な装置スペース、電源容量などを、装置を導入する前に算出し、検討することができる。顧客についてはより満足度の高いシステムを提供することにつながる。
【００５５】
なお、本実施例における図４には、設置面積、電源容量のみが表示されているが、総重量などの情報も必要に応じて同一画面上に表示することが望ましい。検体前処理システムは一般的に大掛かりなシステム構成になることが多いため、設置場所の耐荷重量を超えたシステム構成となっていないかを事前に検討することが重要だからである。
【００５６】
また、印字画面は液晶ディスプレイやＣＲＴなどの表示画面上に表示されていても良いし、プリンターなどの印字手段によって出力されても良い。
【００５７】
図５は、検体前処理装置のシステム情報を文字列化したコードを表示する文字列コード表示画面の一例である。本画面はシステム情報構築ツール１０１上のコード作成ボタン１１５を入力することにより表示される。
【００５８】
モジュール配置図５０１は、検体前処理装置のモジュール配置を出力する。モジュール配置文字列コード５０２は、検体前処理装置のシステム情報を文字列に変換したコードを出力する。さらに、モジュール配置文字列コードの下には、モジュール配置バーコード５０３が表示されている。モジュール配置バーコード５０３は、モジュール配置文字列コード５０２をバーコードに変換したものである。システム情報構築ツール１０１にバーコードリーダーを設ければ、コード指定画面に煩雑な文字列コードを入力する手間を低減することができる。
【００５９】
当該文字列コード表示画面も、液晶ディスプレイやＣＲＴなどの表示画面上に表示されていても良いし、プリンターなどの印字手段によって出力されても良い。
【００６０】
図６は、検体の搬送経路の確認機能の実施例である。
【００６１】
図６（ａ）は、本実施例における検体処理条件設定画面６０１を示す。検体処理条件設定画面は、経路設定ボタンにより正しく経路が設定されているかを、ラックＩＤごとに検証するために、検体ラックＩＤごとに搬送経路をシミュレートするための画面である。ラック番号６０２および処理コード６０３には、あらかじめ登録されているラックＩＤが入力される。処理コード６０３は、検体前処理システムで実行される処理毎に割りつけられているコードである。
【００６２】
次へボタンの入力により、図６（ｂ）画面に遷移する。この画面において、モジュールアイコン上に表示される矢印方向に、ラック番号６０２で指定されたラックが搬送される。ユーザは、この画面を見ることによって、意図したとおりの経路設定が実現されているかを確認することができる。
【００６３】
検体処理条件画面６０１に、ラック番号６０２、処理コード６０３ａ〜６０３ｄを入力し、次へボタン６０５を押下する。
【００６４】
システム情報構築ツール画面６０７のモジュールアイコン表示部６０８に、経路情報に従って矢印６０９およびシステム情報構築ツール画面６０７のコメント表示６１０に搬送経路を表示する。
【００６５】
キャンセルボタン６０４を押下することにより、搬送経路の確認処理を中止し、検体処理条件画面６０１を閉じる。
【００６６】
閉じるボタン６０６を押下することにより、検体処理条件画面６０１を閉じる。
【００６７】
図７は、システム情報構築の支援プログラムが組み込まれたコンピュータの機能構成図である。
【００６８】
システム情報構築の支援プログラムを有するＰＣは、ディスプレイなどの表示手段７０１、ＰＣ本体である制御手段７０２、キーボードやマウス、ハンディバーコードリーダーなどの入力手段７０３、不揮発性記憶装置などの情報記憶手段７０４、プリンターなどの印字手段７０５から構成される。このＰＣは、システム設計者、営業、サービスマンなどが使用することができる。不揮発性記憶装置には、システム情報、文字列コード、およびモジュールレイアウトに関する情報を保存する。
【００６９】
不揮発性記憶装置には、支援プログラムおよび、モジュールレイアウトと文字列コードが関連付けられて記憶されており、システム情報構築ツールの図３のコード指定画面に文字列コードを入力すると、当該文字列コードに対応したモジュールレイアウトに関する情報を図1のシステム情報構築ツール画面に表示する。モジュールレイアウトに関する情報は、表示手段７０１のシステム情報構築ツール画面上に表示される。また、印字手段により出力されることもある。
【００７０】
なお、当該システム情報構築の支援プログラムは、外部の記憶媒体を介してＰＣに組み込まれる形式であっても良い。この場合は、外部記憶媒体から支援プログラムを読み込むことにより、ＰＣ内の情報記憶手段７０４内に必要な情報および当該プログラムが記憶されることとなる。
【００７１】
また、ＰＣとネットワークを介して接続可能なサーバーに組み込まれていても良い。この場合は、表示手段７０１、入力手段７０３、印字手段７０５は、システム設計者、営業、サービスマンが使用するＰＣに設けられており、サーバーには不揮発性記憶装置等の情報記憶手段７０４が設けられている。また、サーバーとＰＣとの間で情報のやり取りを行う通信手段（図示せず）が設けられており、サーバーから受信した情報に基づいて、制御手段が表示手段、入力手段、印字手段等を適切に制御し、支援プログラムをＰＣ上で機能させる。
【符号の説明】
【００７２】
１０１・・・システム情報構築ツール画面、１０２・・・モジュールアイコン表示部、１０３・・・Ｘ座標、１０４・・・Ｙ座標、１０５・・・Ｘ座標スクロールバー、１０６・・・Ｙ座標スクロールバー、１０７・・・条件選択コンボボックス、１０８・・・コメント表示、１０９・・・配置指定ボタン、１１０・・・コード作成ボタン、１１１・・・グループ化ボタン１１２・・・回転ボタン、１１３・・・帳票ボタン、１１４・・・検体処理ボタン、１１５・・・経路設定ボタン、１１６・・・設定確認ボタン、１１７・・・情報作成ボタン、１１８・・・閉じるボタン、２０１・・・モジュール数指定画面、２０２・・・モジュールＡの数、２０３・・・モジュールＢの数、２０４・・・モジュールＣの数、２０５・・・モジュールＤの数、２０６・・・モジュールＥの数、２０７・・・モジュールＦの数、２０８・・・次へボタン、２０９・・・キャンセルボタン、２１０・・・閉じるボタン、２１１・・・システム情報構築ツール画面、２１２・・・モジュールＡアイコン、２１３・・・モジュールＢアイコン、２１４・・・モジュールＣアイコン、２１５・・・モジュールＤアイコン、２１６・・・モジュールＥアイコン、２１７・・・モジュールＦアイコン、３０１・・・コード指定画面、３０２・・・デフォルト構成のコンボボックス、３０３ａ〜３０３ｅ・・・追加構成のテキストボックス、３０４・・・キャンセルボタン、３０５・・・次へボタン、３０６・・・閉じるボタン、４０１・・・モジュール配置図、４０２・・・設置サイズ(縦×横)、４０３・・・総電源容量、４０４・・・モジュールＡ、４０５・・・モジュールＢ、４０６・・・モジュールＣ、４０７・・・モジュールＤ、４０８・・・モジュールＥ、４０９・・・モジュールＦ、５０１・・・モジュール配置図、５０２・・・モジュール配置文字列コード、５０３・・・モジュール配置バーコード、６０１・・・検体処理条件画面、６０２・・・ラック番号、６０３ａ〜６０３ｄ・・・処理コード、６０４・・・キャンセルボタン、６０５・・・次へボタン、６０６・・・閉じるボタン、６０７・・・システム情報構築ツール画面、６０８・・・モジュールアイコン表示部、６０９ａ〜６０９ｈ・・・矢印、６１０・・・搬送経路、７０１・・・表示手段、７０２・・・制御手段、７０３・・・入力手段、７０４・・・情報記憶手段、７０５・・・印字手段
【図１】
2014196342.tif 000003
【図２】
2014196342.tif 000004
【図３】
2014196342.tif 000005
【図４】
2014196342.tif 000006
【図５】
2014196342.tif 000007
【図６】
2014196342.tif 000008
【図７】
2014196342.tif 000009
【図８】
2014196342.tif 000010
【手続補正書】
【提出日】平成26年10月9日(2014.10.9)
【手続補正１】
【補正対象書類名】特許請求の範囲
【補正対象項目名】全文
【補正方法】変更
【補正の内容】
【特許請求の範囲】
【請求項１】
所定の方向に検体を移動させる機能を持った複数のモジュールであり、生体由来の検体をシステム内に投入する検体投入モジュールと、検体に対して分析の前処理工程を行う複数種類の検体前処理モジュールと、分析が終了した後の検体を収容する検体収容モジュールを有する検体前処理システムの構築を支援するプログラムを有するコンピュータであって、
複数種類の検体前処理モジュールを表す複数種類のモジュールアイコンをフィールド上に表示する表示手段と、
前記モジュールアイコンをフィールド上の任意の位置および方向で配置させる入力手段と、
前記画面上に表示したモジュールアイコンの配置状態に基づいて、モジュールが正しい方向性で配置されているか、もしくは、モジュールの配置状態が検体前処理システムとして成立しているかをチェックするチェック機能を有する制御部と、
前記チェック機能によりエラーと判断された場合にはその旨を通知する通知手段を備えたことを特徴とするコンピュータ。
【請求項２】
請求項１記載のコンピュータにおいて、
フィールド上の前記モジュールアイコンをモジュールの接続方向にあわせて任意の角度に回転表示する回転表示手段を備えたことを特徴とするコンピュータ。
【請求項３】
請求項１記載のコンピュータにおいて、
フィールド上の前記モジュールアイコンをモジュールの接続方向にあわせて、アイコンサイズを変更表示する変更表示手段を備えたことを特徴とするコンピュータ。
【請求項４】
請求項１記載のコンピュータにおいて、
フィールド上にモジュールアイコンを配置して構成した検体前処理システムの全体構成表示を任意の角度に回転表示する回転表示手段を備えたことを特徴としたコンピュータ。
【請求項５】
請求項１記載のコンピュータにおいて、
配置したモジュールの設置面積、重量、電源容量の少なくともいずれかを出力する出力手段を有することを特徴としたコンピュータ。
【請求項６】
請求項１のコンピュータにおいて、
コードを入力する入力手段を備え、
入力されたコードに基づいてフィールド上に予め定められたモジュールアイコンの配置状態を表示することを特徴とするコンピュータ。
【請求項７】
請求項６記載のコンピュータにおいて、
コードとモジュールアイコンの配置状態とを関連付けて記憶するデータベースを備えたことを特徴とするコンピュータ。
【請求項８】
請求項１〜７のいずれかに記載のコンピュータにおいて、
フィールド上に配置されたモジュールアイコンの配置状態に基づいてシステム情報を作成し出力する手段を備えたことを特徴とするコンピュータ。
【請求項９】
所定の方向に検体を移動させる機能を持った複数のモジュールであり、生体由来の検体をシステム内に投入する検体投入モジュールと、検体に対して分析の前処理工程を行う複数種類の検体前処理モジュールと、分析が終了した後の検体を収容する検体収容モジュールと、を有する検体前処理システムの構築に対する支援方法であって、
複数種類の検体前処理モジュールを表す複数種類のモジュールアイコンをフィールド上に表示し、
オペレータの入力指示に従って前記モジュールアイコンをフィールド上の任意の位置および方向で配置し、
前記モジュールアイコンの配置状態に基づいて、モジュールが正しい方向性で配置されているか、もしくは、モジュールの配置状態が検体前処理システムとして成立しているかをチェックし、
チェックの結果エラーと判断した場合にはその旨を通知することを特徴とする支援方法。
【請求項１０】
請求項９記載の支援方法において、
配置したモジュールの設置面積、重量、電源容量の少なくともいずれかを出力することを特徴とした支援方法。
【請求項１１】
請求項９記載の支援方法において、
入力されたコードに基づいてフィールド上に予め定められたモジュールアイコンの配置状態を表示することを特徴とする支援方法。
【請求項１２】
請求項１１に記載の支援方法において、
モジュールアイコンの配置状態に基づいてシステム情報を作成し出力することを特徴とする支援方法。
【請求項１３】
所定の方向に検体を移動させる機能を持った複数のモジュールであり、生体由来の検体をシステム内に投入する検体投入モジュールと、検体に対して分析の前処理工程を行う複数種類の検体前処理モジュールと、分析が終了した後の検体を収容する検体収容モジュールと、を有する検体前処理システムの構築を支援するプログラムを記憶した記録媒体であって、
前記プログラムは、
複数種類の検体前処理モジュールを表す複数種類のモジュールアイコンをフィールド上に表示し、
オペレータの入力指示に従って前記モジュールアイコンをフィールド上の任意の位置および方向に配置し、
前記モジュールアイコンの配置状態に基づいて、モジュールが正しい方向性で配置されているか、もしくは、モジュールの配置状態が検体前処理システムとして成立しているかをチェックし、
チェックの結果エラーと判断した場合にはその旨を通知することを特徴とする記録媒体。
【請求項１４】
所定の方向に検体を移動させる機能を持った複数のモジュールであり、生体由来の検体をシステム内に投入する検体投入モジュールと、検体に対して分析の前処理工程を行う複数種類の検体前処理モジュールと、分析が終了した後の検体を収容する検体収容モジュールと、を有する検体前処理システムの構築を支援するプログラムを記憶したサーバーであって、
前記プログラムは、
複数種類の検体前処理モジュールを表す複数種類のモジュールアイコンをフィールド上に表示し、
オペレータの入力指示に従って前記モジュールアイコンをフィールド上の任意の位置および方向で配置し、
前記モジュールアイコンの配置状態に基づいて、モジュールが正しい方向性で配置されているか、もしくは、モジュールの配置状態が検体前処理システムとして成立しているかをチェックし、
チェックの結果エラーと判断した場合にはその旨を通知し、
さらに当該プログラムからの指示を外部と通信する通信手段を備えたことを特徴とするサーバー。
【国際調査報告】
2014196342.tif 000011
2014196342.tif 000012
2014196342.tif 000013
2014196342.tif 000014